(57)【要約】【課題】操作者がＸ線撮影時に時間的な余裕がなくて、Ｘ線照射方向に関する情報を入力できなかったり、記憶があいまいな状態で誤った情報を入力した場合、その後読影を行う医師が画像の左右を取り違えることにより誤診が発生するおそれがある。【解決手段】被検者３の腕に装着されたリストバンドに埋め込まれた発信機９と、被検者３の左右両側に配置された受信機１０および受信機１１により、画像処理装置７がＸ線照射方向に関する情報を自動的に取得して、撮影画像と一体的に記憶するとともに、撮影画像にＸ線照射方向に関する情報を付加して画像モニタ８に表示する。【選択図】          図１
2007215806.tif 000002
【特許請求の範囲】
【請求項１】
Ｘ線管と、前記Ｘ線管に高電圧を供給するＸ線高電圧装置と、前記Ｘ線管と被検者を挟んで対向して配置され前記Ｘ線管から照射されて前記被検者を透過したＸ線による画像を電気信号に変換するＸ線検出器と、前記Ｘ線検出器から出力される画像情報を処理し記憶する画像処理装置と、前記画像処理装置が出力する画像を表示する画像表示装置により構成されるＸ線撮影装置において、前記被検者の撮影姿勢を識別する撮影姿勢識別手段を設けて、前記画像処理装置が前記撮影姿勢識別手段から得られる撮影姿勢情報を対応する画像情報に付加して記憶するとともに、前記画像表示装置に表示することを特徴とするＸ線撮影装置。
【請求項２】
画像処理装置が撮影画像に対応して記憶している撮影姿勢情報に基づいて、前記撮影画像を左右反転して、またしないで画像表示装置に表示することを特徴とする請求項１記載のＸ線撮影装置。
【請求項３】
撮影姿勢識別手段は、被検者に装着する発信機と、前記被検者の左右に配設され前記発信機から出力される信号を無線で受信可能な受信機により構成されることを特徴とする請求項１または請求項２記載のＸ線撮影装置。
【発明の詳細な説明】
【技術分野】
【０００１】
本発明は診断用Ｘ線撮影装置に関する。
【背景技術】
【０００２】
Ｘ線撮影装置により撮影された画像を読影する場合、医師は習慣的に被検者と対面した向きになるようにＸ線フィルムをシャウカステンに装着して観察することが多い。例えば胸部撮影の場合、医師は被検者の心臓が画像の右側になるように装着するので、被検者の後からＸ線を照射して撮影されたフィルムについては裏返して装着することにより、左右反転した状態で観察する。このため撮影画像の関心領域をはずれたＸ線照射領域に鉛等のＸ線吸収の大きい材料で作成された、ＲＬ等の左右がわかる文字を写しこむ等の方法がとられている。
【０００３】
最近はＸ線フィルムの代わりに平面型固体撮像装置であるフラットパネル型検出器を用いたＸ線撮影装置も普及しているが、この装置による撮影時にも実質的に同様のことが行われるので、これについて図４および図２〜図３により説明する。操作者（図示しない）は立位撮影スタンド１の柱に上下動可能に保持される撮影装置２を被検者３の撮影部位の高さにあわせて配置し、その前に被検者３を立たせる。フラットパネル型検出器を内蔵する撮影装置２と対向して、Ｘ線管保持装置（図示しない）により保持されたＸ線管４はＸ線照射野の中心がフラットパネル型検出器の受光面の中心に一致するように、自動または手動で配置される。その後操作者が被検者３を静止させた後、Ｘ線制御器５の操作パネル（図示しない）を操作して高電圧発生器６からＸ線管４に高電圧を印加することによりＸ線撮影が行われる。撮影装置２に内蔵されたフラットパネル型検出器によって撮影された画像は電子情報として、コンピュータや記憶装置等から構成される、画像処理装置７に読み取られ記憶されるとともに、適当な処理がなされて画像モニタ８に表示される。そして操作者が画像処理装置７の操作パネル（図示しない）を操作して、表示された画像のＸ線照射方向に関する情報、すなわち被検者３の後から前に照射された（いわゆるＰ→Ａ方向）か、前から後に照射された（いわゆるＡ→Ｐ方向）かを入力して撮影画像とともに記憶させる。これにより、図２（ａ）に示すように前から後に照射された場合、図２（ｂ）に示すように画像モニタ８の表示画像の向かって左にＲ、右にＬの文字が追加表示され、図３（ａ）に示すように後から前に照射された場合、図３（ｂ）に示すように画像モニタ８の表示画像の向かって左にＬ、右にＲの文字が追加表示される。
【０００４】
その後医師がこの画像を読影するために画像処理装置７の操作パネルを操作して再度画像モニタ８に表示させると、図２（ｂ）または図３（ｂ）の画像が表示される。医師は習慣的に被検者と対面した向きになるように画像を表示して読影を行うので、図３（ｂ）の画像については画像処理装置７の操作パネルを操作して、図３（ｃ）に示すように左右反転した状態に変更して読影する。（例えば特許文献１参照）
【特許文献１】特開２０００−１０７１５９号公報
【発明の開示】
【発明が解決しようとする課題】
【０００５】
しかしながら撮影時に時間的な余裕がなくて、操作者がＸ線照射方向に関する情報を入力できなかったり、記憶があいまいな状態で誤った情報を入力した場合、読影を行う医師が画像の左右を取り違えることにより誤診が発生するおそれがある。本発明はこの問題を解消するためのものである。
【課題を解決するための手段】
【０００６】
請求項１記載の発明は上記の目的を達成するために、Ｘ線管と、前記Ｘ線管に高電圧を供給するＸ線高電圧装置と、前記Ｘ線管と被検者を挟んで対向して配置され前記Ｘ線管から照射されて前記被検者を透過したＸ線による画像を電気信号に変換するＸ線検出器と、前記Ｘ線検出器から出力される画像情報を処理し記憶する画像処理装置と、前記画像処理装置が出力する画像を表示する画像表示装置により構成されるＸ線撮影装置において、前記被検者の撮影姿勢を識別する撮影姿勢識別手段を設けて、前記画像処理装置が前記撮影姿勢識別手段から得られる撮影姿勢情報を対応する画像情報に付加して記憶するとともに、前記画像表示装置に表示するＸ線撮影装置を提供する。
【０００７】
請求項２記載の発明は上記の目的を達成するために、画像処理装置が撮影画像に対応して記憶している撮影姿勢情報に基づいて、前記撮影画像を左右反転して、またしないで画像表示装置に表示する請求項１記載のＸ線撮影装置を提供する。
【０００８】
請求項３記載の発明は上記の目的を達成するために、撮影姿勢識別手段は、被検者に装着する発信機と、前記被検者の左右に配設され前記発信機から出力される信号を無線で受信可能な受信機により構成される請求項１または請求項２記載のＸ線撮影装置を提供する。
【発明の効果】
【０００９】
本発明により撮影画像のＸ線照射方向に関する情報が画像情報に自動的に付加され、一体的に記憶され、表示される。これにより読影を行う医師が画像の左右を取り違えることが防止されるので、このことに起因する誤診の発生を防ぐことができるとともに、撮影時の操作者の手間を軽減することができる。
【発明を実施するための最良の形態】
【００１０】
本発明の実施例を図１〜図３により説明する。図１は本発明によるＸ線撮影装置の構成例を示す図であるが、図４と同じ符号で示される部品等は図４と同じなので、それらについての説明は省略する。
【００１１】
被検者３は撮影の前に操作者（図示しない）の指示により、非接触ＲＦ−ＩＤ等の発信機９を埋め込んだリストバンドを右手に装着する。発信機９は適当な周波数の電波を常時出力している。操作者は被検者３をＸ線の受光部であるフラットパネル型検出器を内蔵した撮影装置２の前に立たせた後、撮影装置２を立位撮影スタンド１の柱に沿って上下動させ撮影部位の高さにあわせて静止させる。このとき撮影装置２の裏面の左右端部にそれぞれ取り付けられた取付金具１２および取付金具１３によって保持され、被検者３の左右に配置された受信機１０および受信機１１も撮影装置２とともに上下動して静止する。
【００１２】
受信機１０および受信機１１はどちらも同じもので、それぞれ電波を受信するためのアンテナと受信部および復調部から構成され、受信した信号を、コンピュータ等により構成される画像処理装置７が受信可能な形式およびレベルの信号として出力する。ただし発信機９が発信する電波の強度および受信機１０および受信機１１の感度は、例えば発信機９が受信機１０および受信機１１の中間位置にあるとき受信限界になるように調整されている。
【００１３】
その後Ｘ線撮影が行われると、画像処理装置７は撮影装置２に内蔵されたフラットパネル型検出器から画像情報を読み込むとともに、受信機１０または受信機１１のどちらかから信号を受け取る。画像処理装置７は、受信機１０から信号を受けた場合図３（ａ）に示すようにＸ線が被検者３の後から前に照射されたものと認識し、受信機１１から信号を受けた場合図２（ａ）に示すようにＸ線が被検者３の前から後ろに照射されたものと認識する。画像処理装置７はこの被検者３に対するＸ線の照射方向の情報を撮影された画像と一体で記憶するとともに、例えば図２（ｂ）または図３（ｂ）に示すような、撮影画像にＸ線の照射方向の情報を付加した画像を画像モニタ８に表示する。医師は所望の場合画像処理装置７の操作パネル（図示しない）を操作して表示画像の左右を反転することができる。またあらかじめ画像処理装置７の操作パネルを操作して必要な設定をしておくことにより、被検者３に対するＸ線の照射方向の情報に基づいて、常に被検者３が観察者と対面する向きになるように画像を表示させることができる。このとき図２（ｂ）の画像はそのまま表示されるが、図３（ｂ）の画像は左右反転されて図３（ｃ）のように表示される。
【００１４】
上記の実施例では立位撮影スタンド１を用いたＸ線撮影装置について説明したが、本発明はこれに限定されるものではなく、Ｘ線撮影を行うすべての装置について有効である。
【００１５】
上記の実施例では被検者３に対するＸ線の照射方向を識別するために、無線周波数の電波を発信する発信機９とその電波を受信する受信機１０および１１を用いたが、超音波や赤外線等その他の方法による発信機と受信機の組み合わせでもよい。
【産業上の利用可能性】
【００１６】
本発明は診断用Ｘ線撮影装置に関する。
【図面の簡単な説明】
【００１７】
【図１】本発明のＸ線撮影装置の構成を説明するための図である。
【図２】撮影された画像にＸ線の照射方向に関する情報を表示した例を示す図である。
【図３】撮影された画像にＸ線の照射方向に関する情報を表示した例を示す図である。
【図４】従来のＸ線撮影装置の構成を説明するための図である。
【符号の説明】
【００１８】
１：立位撮影スタンド
２：撮影装置
３：被検者
４：Ｘ線管
５：Ｘ線制御器
６：高電圧発生器
７：画像処理装置
８：画像モニタ
９：発信機
１０：受信機
１１：受信機
１２：取付金具
１３：取付金具
【図１】
2007215806.tif 000003
【図２】
2007215806.tif 000004
【図３】
2007215806.tif 000005
【図４】
2007215806.tif 000006